(57)【要約】【課題】フリッカー状の変動が発生するのを抑えた画像表示装置を提供する。【解決手段】画像表示装置１は、入力部（実施形態の「同期分離部２１」に対応する）に入力された映像信号から時間的に前後する複数のフレームを取り出し、取り出した複数のフレームに基づいて、フレームに記録される被写体の動きを抽出する抽出部２５１と、抽出部２５１による抽出の結果に基づいて、フレームの領域を、被写体に動きがあるとされる動領域と、被写体に動きないとされる静止領域とに分割する分割部２５２と、画像表示モジュール１０に映像信号に基づく画像を表示させる場合、動領域の発光時間を静止領域の発光時間よりも短くすると共に、動領域の発光輝度を静止領域の発光輝度よりも高くする画像表示制御部３０と、を備える。画像表示制御部３０は、動領域と静止領域とのフレーム内の発光時間中心を一致させる。【選択図】図１
2017037124.tif 000002
【特許請求の範囲】
【請求項１】
画像表示モジュールと、
映像信号が入力される入力部と、
前記入力部に入力された映像信号から時間的に前後する複数のフレームを取り出し、取り出した複数のフレームに基づいて、フレームに記録される被写体の動きを抽出する抽出部と、
前記抽出部による抽出の結果に基づいて、フレームの領域を、被写体に動きがあるとされる動領域と、被写体に動きがないとされる静止領域とに分割する分割部と、
前記画像表示モジュールに映像信号に基づく画像を表示させる場合、前記動領域の発光時間を前記静止領域の発光時間よりも短くすると共に、前記動領域の発光輝度を前記静止領域の発光輝度よりも高くする画像表示制御部と、を備え、
前記画像表示制御部は、前記動領域と前記静止領域とのフレーム内の発光時間中心を一致させる
画像表示装置。
【請求項２】
前記画像表示制御部は、複数のフレームの所定の領域が、静止領域から、連続した複数のフレームにわたって存在する動領域に移行する場合、前記動領域と前記静止領域との間の複数のフレームの前記所定の領域について、発光時間を段階的に短くすると共に、発光輝度を段階的に高くする
請求項１に記載の画像表示装置。
【請求項３】
前記画像表示制御部は、複数のフレームの所定の領域が、動領域から、連続した複数のフレームにわたって存在する静止領域に移行する場合、前記動領域と前記静止領域との間の複数のフレームの前記所定の領域について、発光時間を段階的に長くすると共に、発光輝度を段階的に低くする
請求項１に記載の画像表示装置。
【請求項４】
画像表示モジュールと、
映像信号が入力される入力部と、
前記入力部に入力された映像信号から時間的に前後する複数のフレームを取り出し、取り出した複数のフレームに基づいて、フレームに記録される被写体の動きを抽出する抽出部と、
前記抽出部による抽出の結果に基づいて、フレームの領域を、被写体に動きがあるとされる動領域と、被写体に動きがないとされる静止領域とに分割する分割部と、
前記画像表示モジュールに映像信号に基づく画像を表示させる場合、前記動領域の発光時間を前記静止領域の発光時間よりも短くすると共に、前記動領域の発光輝度を前記静止領域の発光輝度よりも高くする画像表示制御部と、を備え、
前記画像表示制御部は、複数のフレームの所定の領域が、静止領域から、連続した複数のフレームにわたって存在する動領域に移行する場合、前記動領域と前記静止領域との間の複数のフレームについて、１フレーム期間内において、前記所定の領域を複数回発光させるとともに、フレーム内の複数回発光の時間的重心と、前記静止領域のフレーム内の発光時間中心とを一致させる
画像表示装置。
【請求項５】
画像表示モジュールと、
映像信号が入力される入力部と、
前記入力部に入力された映像信号から時間的に前後する複数のフレームを取り出し、取り出した複数のフレームに基づいて、フレームに記録される被写体の動きを抽出する抽出部と、
前記抽出部による抽出の結果に基づいて、フレームの領域を、被写体に動きがあるとされる動領域と、被写体に動きがないとされる静止領域とに分割する分割部と、
前記画像表示モジュールに映像信号に基づく画像を表示させる場合、前記動領域の発光時間を前記静止領域の発光時間よりも短くすると共に、前記動領域の発光輝度を前記静止領域の発光輝度よりも高くする画像表示制御部と、を備え、
前記画像表示制御部は、複数のフレームの所定の領域が、動領域から、連続した複数のフレームにわたって存在する静止領域に移行する場合、前記動領域と前記静止領域との間の複数のフレームについて、１フレーム期間内において、前記所定の領域を複数回発光させるとともに、フレーム内の複数回発光の時間的重心と、前記静止領域のフレーム内の発光時間中心とを一致させる
画像表示装置。
【発明の詳細な説明】
【技術分野】
【０００１】
本発明は、映像信号に基づく映像を表示する画像表示装置に関する。
【背景技術】
【０００２】
液晶ディスプレイや有機ＥＬ（Ｅｌｅｃｔｒｏｌｕｍｉｎｅｓｃｅｎｃｅ）ディスプレイは、１フレーム期間同じ映像を表示しており、ブラウン管ディスプレイ等のインパルス型表示装置に対して、ホールド型ディスプレイとされる。ホールド型表示装置では、ディスプレイに表示される物体が画面上を移動した場合、人がその物体を追従視するため、目の積分効果により、映像がぼやけて見えることがわかっている。
【０００３】
そのような映像のぼやけを防ぐために、ディスプレイを高フレームレート化する手法や発光時間アパーチャーを短くする手法が提案されている。通常のホールド型ディスプレイでは１フレーム期間の全体にわたって発光を持続させている。一方、発光時間アパーチャーを短くする手法では、図９に示すように、１フレーム期間のうち一部の期間だけ発光させることにより、非発光期間を挿入している。これにより、発光時間アパーチャーを短くする手法は、人が物体を追従視することによる映像のぼやけの影響を抑制し、動画質を向上させている。
【０００４】
しかし、上記の発光時間アパーチャーを短くする手法では、ディスプレイの明るさを保つために、発光期間の瞬時輝度を高くする必要がある。例えば、発光期間を通常時に比べて半分に短くした場合、瞬時輝度は、通常時に比べて２倍に設定される。ここで、通常時とは、１フレーム期間の全体にわたって発光させる場合のことである。有機ＥＬディスプレイでは、輝度は電流量にほぼ比例し、寿命は電流量の１．７乗に比例すると言われている。このため、発光時間アパーチャーを短くする手法では、瞬時輝度を通常時に比べて高く設定すると、寿命が加速度的に短くなる可能性がある。
【０００５】
そこで、図１０に示すように、フレームを動領域と静止領域に分割して、適応的にディスプレイの発光時間アパーチャーを短くする適応的時間アパーチャー制御技術が提案されている（特許文献１参照）。
【先行技術文献】
【特許文献】
【０００６】
【特許文献１】特開２００４−１４４９２８号公報
【発明の概要】
【発明が解決しようとする課題】
【０００７】
上記の適応的時間アパーチャー制御技術は、フレーム単位で発光時間アパーチャーが変更される。すなわち、連続する複数のフレームについて同様の映像レベルであっても、発光時間アパーチャーが異なるフレームが連続することになる。この場合には、輝度のフレーム期間単位の移動積分値が変動して、フリッカー状の変動が見えてしまう。
【０００８】
フリッカー状の変動について、図１１を参照して説明する。図１１の横軸は時間である。図１１の上の図（ａ）は発光輝度の時間変化を示し、下の図（ｂ）は時刻ｔ−（１フレーム）から時刻ｔまでの発光輝度の積分値を示す。図１１は、発光時間アパーチャーが１００％のフレームの後に、発光時間アパーチャーが２５％のフレームが２つ続き、また発光時間アパーチャーが１００％のフレームが続く場合の例である。なお、発光時間アパーチャーが１００％の場合の輝度と、発光時間アパーチャーが２５％の場合の輝度とを同じにするために、発光時間アパーチャー１００％の輝度を１００とすると、発光時間アパーチャー２５％の輝度は４００になっている。
【０００９】
その図１１の場合、発光時間アパーチャーが１００％の状態から発光時間アパーチャーが２５％の状態に変化すると、１フレーム分の発光を積分した積分値には、１００＋７５＝１７５をピークとする上昇がある。これが、フリッカー状の変動として見えてしまう。また、発光時間アパーチャーが２５％の状態から発光時間アパーチャーが１００％の状態に変化すると、１フレーム分の発光を積分した積分値には、１００−７５＝２５をピークとする下降がある。これが、フリッカー状の変動として見えてしまう。このような結果として、適応的時間アパーチャー制御技術では、発光時間アパーチャーが変動するたびに、フリッカー状の変動が見えてしまい、画質劣化が発生する。
【００１０】
本発明は、フリッカー状の変動が発生するのを抑えた画像表示装置を提供することを目的とする。
【課題を解決するための手段】
【００１１】
画像表示装置は、画像表示モジュールと、映像信号が入力される入力部と、前記入力部に入力された映像信号から時間的に前後する複数のフレームを取り出し、取り出した複数のフレームに基づいて、フレームに記録される被写体の動きを抽出する抽出部と、前記抽出部による抽出の結果に基づいて、フレームの領域を、被写体に動きがあるとされる動領域と、被写体に動きがないとされる静止領域とに分割する分割部と、前記画像表示モジュールに映像信号に基づく画像を表示させる場合、前記動領域の発光時間を前記静止領域の発光時間よりも短くすると共に、前記動領域の発光輝度を前記静止領域の発光輝度よりも高くする画像表示制御部と、を備える。この場合、前記画像表示制御部は、前記動領域と前記静止領域とのフレーム内の発光時間中心を一致させる。
【００１２】
また、前記画像表示制御部は、複数のフレームの所定の領域が、静止領域から、連続した複数のフレームにわたって存在する動領域に移行する場合、前記動領域と前記静止領域との間の複数のフレームの前記所定の領域について、発光時間を段階的に短くすると共に、発光輝度を段階的に高くすることが好ましい。
【００１３】
また、前記画像表示制御部は、複数のフレームの所定の領域が、動領域から、連続した複数のフレームにわたって存在する静止領域に移行する場合、前記動領域と前記静止領域との間の複数のフレームの前記所定の領域について、発光時間を段階的に長くすると共に、発光輝度を段階的に低くすることが好ましい。
【００１４】
また、画像表示装置は、画像表示モジュールと、映像信号が入力される入力部と、前記入力部に入力された映像信号から時間的に前後する複数のフレームを取り出し、取り出した複数のフレームに基づいて、フレームに記録される被写体の動きを抽出する抽出部と、前記抽出部による抽出の結果に基づいて、フレームの領域を、被写体に動きがあるとされる動領域と、被写体に動きがないとされる静止領域とに分割する分割部と、前記画像表示モジュールに映像信号に基づく画像を表示させる場合、前記動領域の発光時間を前記静止領域の発光時間よりも短くすると共に、前記動領域の発光輝度を前記静止領域の発光輝度よりも高くする画像表示制御部と、を備える。この場合、前記画像表示制御部は、複数のフレームの所定の領域が、静止領域から、連続した複数のフレームにわたって存在する動領域に移行する場合、前記動領域と前記静止領域との間の複数のフレームについて、１フレーム期間内において、前記所定の領域を複数回発光させるとともに、フレーム内の複数回発光の時間的重心と、前記静止領域のフレーム内の発光時間中心とを一致させる。
【００１５】
また、画像表示装置は、画像表示モジュールと、映像信号が入力される入力部と、前記入力部に入力された映像信号から時間的に前後する複数のフレームを取り出し、取り出した複数のフレームに基づいて、フレームに記録される被写体の動きを抽出する抽出部と、前記抽出部による抽出の結果に基づいて、フレームの領域を、被写体に動きがあるとされる動領域と、被写体に動きがないとされる静止領域とに分割する分割部と、前記画像表示モジュールに映像信号に基づく画像を表示させる場合、前記動領域の発光時間を前記静止領域の発光時間よりも短くすると共に、前記動領域の発光輝度を前記静止領域の発光輝度よりも高くする画像表示制御部と、を備える。この場合、前記画像表示制御部は、複数のフレームの所定の領域が、動領域から、連続した複数のフレームにわたって存在する静止領域に移行する場合、前記動領域と前記静止領域との間の複数のフレームについて、１フレーム期間内において、前記所定の領域を複数回発光させるとともに、フレーム内の複数回発光の時間的重心と、前記静止領域のフレーム内の発光時間中心とを一致させる。
【発明の効果】
【００１６】
本発明によれば、フリッカー状の変動が発生するのを抑えた画像表示装置を提供することができる。
【図面の簡単な説明】
【００１７】
【図１】画像表示装置の一実施形態について説明するためのブロック図である。
【図２】画素の構成を説明するための図である。
【図３】動領域と静止領域とのフレーム内の発光時間中心を一致させた例を説明するための図である。
【図４】動領域が連続するフレームに関して、発光波形と、１フレームの発光積分値とを説明するための第１の図である。
【図５】動領域が連続するフレームに関して、発光波形と、１フレームの発光積分値とを説明するための第２の図である。
【図６】動領域が連続するフレームに関して、発光波形と、１フレームの発光積分値とを説明するための第３の図である。
【図７】動領域が連続するフレームに関して、発光波形と、１フレームの発光積分値とを説明するための第４の図である。
【図８】動領域が連続するフレームに関して、発光波形と、１フレームの発光積分値とを説明するための第５の図である。
【図９】関連技術を説明するための第１の図である。
【図１０】関連技術を説明するための第２の図である。
【図１１】関連技術を説明するための第３の図である。
【発明を実施するための形態】
【００１８】
以下、本発明の一実施形態について説明する。図１は、画像表示装置の一実施形態について説明するためのブロック図である。図２は、画素の構成を説明するための図である。
【００１９】
図１に示すように、画像表示装置１は、画像表示モジュール１０と、同期分離部２１と、データ変換部２２と、データ信号用制御パルス生成部２３と、選択信号用制御パルス生成部２４と、動き検出部２５と、発光時間制御パルス生成部２６と、発光時間制御信号線駆動回路２７と、を備える。同期分離部２１は、本発明の「入力部」の一実施形態に対応する。後述するデータ信号線駆動回路１１、後述する選択信号線駆動回路１２、データ信号用制御パルス生成部２３、選択信号用制御パルス生成部２４、発光時間制御パルス生成部２６及び発光時間制御信号線駆動回路２７は、画像表示制御部３０の構成要素となる。
【００２０】
画像表示モジュール１０は、ホールド型の画像表示モジュールである。より具体的な一例としては、画像表示モジュール１０は、アクティブマトリクス型有機ＥＬ表示モジュールである。以下では、画像表示モジュール１０として、アクティブマトリクス型有機ＥＬ表示モジュールを例にして説明する。
【００２１】
画像表示モジュール１０は、データ信号線駆動回路１１と、選択信号線駆動回路１２と、表示パネル１３と、を備える。
【００２２】
データ信号線駆動回路１１には、垂直方向に配される複数のデータ信号線（図１には図示せず、図２の符号「ＤＬ」参照）が接続される。データ信号線駆動回路１１は、画像信号とパルス信号と基づいて、複数のデータ信号線のそれぞれにデータ信号を供給する。
【００２３】
選択信号線駆動回路１２には、水平方向に配される複数の選択信号線（図１には図示せず、図２の符号「ＳＬ」参照）が接続される。選択信号線駆動回路１２は、パルス信号に基づいて、複数の選択信号線のそれぞれに選択信号を供給する。
【００２４】
表示パネル１３は、複数の画素を備える。図２に示すように、１つの画素は、スイッチングトランジスタＴｒ１と、駆動トランジスタＴｒ２と、発光時間制御用トランジスタＴｒ３と、保持容量Ｃと、有機ＥＬ素子１４と、を備える。
【００２５】
スイッチングトランジスタＴｒ１のゲート電極Ｇは、選択信号線ＳＬに接続される。スイッチングトランジスタＴｒ１のドレイン電極Ｄは、データ信号線ＤＬに接続される。スイッチングトランジスタＴｒ１のソース電極Ｓは、駆動トランジスタＴｒ２のゲート電極Ｇと、保持容量Ｃに接続される。
【００２６】
駆動トランジスタＴｒ２のドレイン電極Ｄは、電源Ｖｄｄと、保持容量Ｃに接続される。駆動トランジスタＴｒ２のソース電極Ｓは、発光時間制御用トランジスタＴｒ３のドレイン電極Ｄに接続される。発光時間制御用トランジスタＴｒ３のソース電極Ｓは、有機ＥＬ素子１４に接続される。発光時間制御用トランジスタＴｒ３のゲート電極Ｇは、発光時間制御信号線１５に接続される。
【００２７】
図１に示す同期分離部２１は、入力された映像信号を、画像信号と同期信号とに分離する。
データ変換部２２は、入力された画像信号がアナログ信号の場合、表示パネル１３に映像を表示させることができるデジタル信号に変換する。又は、データ変換部２２は、入力された画像信号がデジタル信号の場合、送信用のデジタル信号から、表示パネル１３に映像を表示させるためのデジタル信号に変換する。
【００２８】
データ信号用制御パルス生成部２３は、同期信号に基づいて、映像を表示パネル１３に表示させるためのパルス信号（データ信号用制御パルス）を生成して、データ信号線駆動回路１１に供給する。
選択信号用制御パルス生成部２４は、同期信号に基づいて、映像を表示パネル１３に表示させるためのパルス信号（選択信号用制御パルス）を生成して、選択信号線駆動回路１２に供給する。
【００２９】
動き検出部２５は、映像信号に基づく複数のフレームから被写体の動きを検出する。すなわち、動き検出部２５を構成する抽出部２５１は、同期分離部２１に入力された映像信号（同期分離部によって分離された画像信号）から時間的に前後する２つのフレームを取り出し、取り出した２つのフレームに基づいて、フレームに記録される被写体の動きを抽出する。ここで、抽出部２５１は、フレームを記憶するバッファメモリ（図示せず）を備えることが好ましい。また、抽出部は、２つのフレームを取り出す場合、時間的に連続する２つのフレームを取り出してもよく、時間的に連続する３つのフレームの中から、１フレームの間をあけて前端と後端との２つのフレームを取り出してもよい。また、抽出部は、時間的に連続する複数のフレームの中から、複数のフレームを取り出してもよい。
【００３０】
一例として、抽出部２５１は、画像信号を構成する時間的に前後する２つのフレームから、フレーム間における各画素の被写体の動き量を取得する。具体的な一例として、抽出部２５１は、フレームから１６画素×１６画素のブロックを抽出し、フレーム間でブロックマッチングを行うことにより、被写体の動き量を取得する。抽出部２５１は、例えば、被写体の動きの大きさをＶｎ（ｘ，ｙ）で表す。ここで、ｘは、０＜ｘ≦Ｎｘ（Ｎｘ：水平方向の画素数）の関係を満たす。また、ｙは、０＜ｙ≦Ｎｙ（Ｎｙ：垂直方向の画素数）の関係を満たす。
【００３１】
また、動き検出部２５は、被写体の動き量の抽出結果に基づいて、１のフレーム毎に、被写体に動きがあるとされる動領域と、被写体に動きがないとされる静止領域とに分割する。すなわち、動き検出部２５を構成する分割部２５２は、抽出部２５１による抽出の結果に基づいて、フレームを構成する水平ライン（選択信号線ＳＬ）毎に被写体が動く画素数の割合を求める。そして、分割部２５２は、水平ライン（選択信号線ＳＬ）毎の割合のうち閾値を超える水平ラインを動領域とする。また、分割部２５２は、水平ライン（選択信号線ＳＬ）毎の割合のうち閾値以下の水平ラインを静止領域とする。
【００３２】
より具体的には、分割部２５２は、抽出部２５１によって抽出された被写体の動きの大きさＶｎに基づいて、水平ライン（選択信号線ＳＬ）毎の被写体の動き量のヒストグラムＨｎ（ｌ）を作成する。ここで、ｌは、水平ライン（選択信号線ＳＬ）の番号（ライン番号）を表す。
【００３３】
より詳細には、分割部２５２は、まず、ライン番号がｙ＝ｌにおける被写体の動きの大きさＶｎに関して、被写体の動きの大きさＶｎが第１閾値Ｖｔｈ１を超える画素の数を求める。ここで、一例として、第１閾値Ｖｔｈは、４ピクセル／フレームである。したがって、分割部２５２は、各水平ラインについて、１フレームあたり４ピクセルを超える被写体の動きが有る画素の数を求める。次に、分割部２５２は、求めた画素数を、１つの水平ラインを構成する画素の数Ｎｘ（水平方向の画素数）で割った値Ｗを求める。各水平ラインについて値Ｗを求めることに基づいて、ヒストグラムＨｎ（ｌ）を作成する。次に、分割部２５２は、ヒストグラムＨｎ（ｌ）について、第２閾値Ｈｔｈを超える水平ラインを動領域とする。すなわち、分割部２５２は、第２閾値Ｈｔｈを超える値Ｗを有する水平ラインを動領域とする。一方、分割部２５２は、ヒストグラムＨｎ（ｌ）について、第２閾値Ｈｔｈ以下の水平ラインを静止領域とする。分割部２５２は、第２閾値Ｈｔｈ以下の値Ｗを有する水平ラインを静止領域とする。
【００３４】
発光時間制御パルス生成部２６は、同期信号に基づいて、映像信号による映像を画像表示モジュール１０に表示させる場合、動き検出部２５によって動領域とされた水平ラインについて、静止領域とされた水平ラインよりも、１フレームの発光時間を短くする。一例として、発光時間制御パルス生成部２６は、静止領域における１フレームの発光時間を１００％とすると、動領域における１フレームの発光時間を２５％とする。より具体的には、発光時間制御パルス生成部２６は、映像を表示パネル１３に表示させる場合、動き検出部２５によって動きが検出された動領域について、動きが検出されない静止領域に比べて、１フレームあたりの有機ＥＬ素子１４の発光時間を短くするように、同期信号に基づいて、有機ＥＬ素子１４の発光時間を制御するためのパルス信号（発光時間制御パルス）を生成して、発光時間制御信号線駆動回路２７に供給する。
【００３５】
一例として、発光時間制御信号線駆動回路２７には、水平方向に沿う、複数の発光時間制御信号線１５が接続されている。各発光時間制御信号線１５には、その発光時間制御信号線１５が配された水平方向に沿う領域に存在する発光時間制御用トランジスタＴｒ３が複数接続される。
【００３６】
発光時間制御信号線駆動回路２７は、発光時間制御パルスを受信すると、動き検出部２５によって動きが検出された動領域を表示する画素に対して、発光時間制御信号を出力する。上述したように、発光時間制御信号線１５には、水平方向に沿って複数の発光時間制御用トランジスタＴｒ３が接続される。このため、発光時間制御信号線１５に発光時間制御信号が供給されると、その発光時間制御信号線１５に接続される全ての発光時間制御用トランジスタＴｒ３（水平方向に沿う発光時間制御用トランジスタＴｒ３）には、発光時間制御信号が供給される。発光時間制御用トランジスタＴｒ３は、発光時間制御信号を受信すると、その発光時間制御信号に基づいて、電源のオン／オフを制御する。すなわち、発光時間制御用トランジスタＴｒ３は、発光時間制御信号に基づいて、動きが検出されたフレームについて１フレームあたりの有機ＥＬ素子１４の発光時間を短くする。
発光時間制御信号線駆動回路２７の特徴的な構成については、後述する。
【００３７】
また、選択信号用制御パルス生成部２４は、動き検出部２５によって動きが検出された動領域について、動きが検出されない静止領域よりも、発光輝度を高くする。すなわち、上述したように発光時間を短くした場合のみでは、ユーザは、動領域に対応する映像について、静止領域に対応する映像よりも暗く認知する。このため、選択信号用制御パルス生成部２４は、ユーザによって暗く感じられるのを防ぐために、動領域の発光輝度を、静止領域よりも高くする。
【００３８】
選択信号用制御パルス生成部２４は、発光時間に応じた係数（データ倍率）を得て、そのデータ倍率に応じて発光輝度の制御を行う。ここで、データ倍率は、下式（１）より求まる。
データ倍率＝１００／（発光時間［％］）  …（１）
【００３９】
一例として、動領域の発光時間を２５％とすると、データ倍率は、４となる。したがって、選択信号用制御パルス生成部２４は、発光輝度を変化させない場合と比較して、動領域の発光輝度を４倍にして有機ＥＬ素子１４を発光させる。
【００４０】
データ変換部２２は、上記のデータ倍率に応じて、データ信号線駆動回路１１に供給するデジタル信号を変換することにより、有機ＥＬ素子１４の発光輝度は高くする。
【００４１】
次に、画像表示装置１の特徴的な構成について説明する。
ここで、画像表示制御部３０は、データ信号線駆動回路１１、選択信号線駆動回路１２、データ変換部２２、データ信号用制御パルス生成部２３、選択信号用制御パルス生成部２４、発光時間制御パルス生成部２６及び発光時間制御信号線駆動回路２７によって実現される。
【００４２】
画像表示制御部３０は、動領域と静止領域とのフレーム内の発光時間中心を一致させる。すなわち、画像表示制御部３０は、１フレームのうちの動領域と静止領域について、それぞれの領域の発光時間の中心を一致させる。前記の「一致」には、略一致させることが含まれる。
静止領域については、制御部３０は、発光時間制御パルスを発光時間制御パルス生成部２６によって生成させ、発光時間制御パルスを発光時間制御信号線駆動回路２７が受信すると、一例として、図１０に示す「静止領域」のように、１フレーム期間の全体にわたって有機ＥＬ素子１４を発光させるようにする。なお、静止領域は、１フレーム期間の全体にわたって有機ＥＬ素子１４を発光させる例に限定されることはなく、１フレーム期間を１００％とすると、例えば、１フレーム期間のうちの８０％の期間、有機ＥＬ素子１４を発光させてもよい。
一方、動領域については、画像表示制御部３０は、図１０に示す「動領域」のように１フレーム期間の最初において有機ＥＬ素子１４を発光させず、動領域と静止領域とのフレーム内の発光時間中心を一致させるように発光時間制御パルス信号を発行時間制御信号線駆動回路２７が受信すると、有機ＥＬ素子１４を発光させるようにする。すなわち、動領域については、画像表示制御部３０は、有機ＥＬ素子１４のフレーム内の発光時間中心（動領域のフレーム内の発光時間中心）と静止領域のフレームナ内の発光時間中心とを一致又は略一致させる。
【００４３】
図３は、動領域と静止領域とのフレーム内の発光時間中心を一致させた例を説明するための図である（第１実施例）。ここで、図３の上の図は発光波形を示し、図３の下の図は１フレーム分の発光を積分した１フレームの発光積分値を示す。また、図３の横軸は時間を示し、上の図の縦軸は輝度を示し、下の図の縦軸は輝度の積分値を示す。
時間ｔ１〜ｔ２、ｔ２〜ｔ３、ｔ３〜ｔ４、ｔ４〜ｔ５それぞれが１フレーム期間を示す。時間ｔ１〜ｔ２及びｔ４〜ｔ５は静止領域となっており、時間ｔ２〜ｔ３及びｔ３〜ｔ４が動領域となっている。
【００４４】
静止領域となる場合には、１フレーム期間の全体にわたって有機ＥＬ素子１４を発光させるため、時間ｔ１〜ｔ２及びｔ４〜ｔ５では、画像表示制御部３０は、輝度を１００とする値で有機ＥＬ素子を発光させる。
一方、動領域（時間ｔ２〜ｔ３及びｔ３〜ｔ４）となる場合には、発光時間を静止領域の２５％とすると、画像表示制御部３０は、１フレーム期間の中心部において、輝度を４００とする値で有機ＥＬ素子１４を発光させる。
【００４５】
このような場合、１フレームの発光積分値は図３の下の図のようになる。すなわち、発光輝度が１００から０に変化する場合（静止領域から動領域に変化した直後）では、１フレームの発光積分値は１００−３７．５＝６２．５に下降する。その後、１フレーム期間の中心部において輝度を４００とする値で発光すると、１フレームの発光積分値は１００＋３７．５＝１３７．５に上昇する。その後、発光輝度が０になると（動領域の発光が終了すると）、１フレームの発光積分値は１００に下降する。
【００４６】
次に、動領域が続く場合には、１フレームの発光積分値は１００を維持する。
次に、動領域の後に静止領域が続く場合（発光輝度が０から１００に変化した後、発光輝度が１００となる値を維持する場合）には、１フレームの発光積分値は、１００＋３７．５＝１３７．５に上昇した後、１００−３７．５＝６２．５に下降し、その後１００に上昇して維持する。
【００４７】
このように、画像表示制御部３０は、動領域については、フレーム内の発光時間中心と、１フレームの中心時間とを一致又は略一致させる。すなわち、画像表示制御部３０は、動領域と静止領域とのフレーム内の発光時間中心を一致させる。そして、１フレームの発光積分値は、短い期間（１フレーム期間内）で下降及び上昇を行うので、輝度の変化が打ち消しあって、フリッカー状の変動としてユーザに知覚され難くなる。よって、画像表示装置１は、画質の劣化を抑制することが可能になる。また、画像表示装置１は、発光積分値の変動の絶対値も小さくなっているので、図１１に示す場合に比べて、画質の劣化を抑制することが可能になる。
【００４８】
また、画像表示制御部３０は、複数のフレームの所定の領域が、静止領域から、連続した複数のフレームにわたって存在する動領域に移行する場合、動領域と静止領域との間の複数のフレームの所定の領域について、発光時間を段階的に短くすると共に、発光輝度を段階的に高くすることが好ましい。
また、画像表示制御部３０は、複数のフレームの所定の領域が、動領域から、連続した複数のフレームにわたって存在する静止領域に移行する場合、動領域と静止領域との間の複数のフレームの所定の領域について、発光時間を段階的に長くすると共に、発光輝度を段階的に低くすることが好ましい。
発光時間を段階的に変化させる遷移期間においても、フレーム内の発光時間的中心を一致又は略一致させる。
【００４９】
所定の領域は、複数のフレームについての同じ領域（走査ラインに対応する領域）のことであり、任意の領域である。
【００５０】
例えば、静止領域の後、複数のフレームにわたって動領域が連続する場合、動領域が存在する複数のフレームの内の最初のフレーム又は複数のフレームの動領域については、画像表示制御部３０は、通常の動領域を有するフレームよりも、発光輝度を低くする。ここで、静止領域の後、複数のフレーム（ｎ枚）にわたって動領域が連続する場合、画像表示制御部３０は、動領域を有する、１枚目のフレーム、又は、１枚目からＮ（Ｎ＜ｎ）枚目のフレームについて、通常の動領域を有するフレーム（ｎ枚目のフレーム）よりも、発光輝度を低くする。なお、通常の動領域を有するフレームよりも発光輝度を低くした場合には、画像表示制御部３０は、通常の動領域を有するフレームよりも発光時間を長くする。
【００５１】
動領域を有する複数のフレーム（１枚目からＮ枚目のフレーム）について、通常の動領域を有するフレームよりも発光輝度を低くし、且つ、通常の動領域を有するフレームよりも発光時間を長くした場合には、１枚目からＮ枚目のフレームの動領域について、画像表示制御部３０は、発光時間をフレームについて段階的に短くし、且つ、発光輝度をフレームについて段階的に高くする。この場合の発光時間を段階的に変化させる遷移期間では、フレーム内の発光時間的中心を一致又は略一致させる。
なお、発光時間を段階的に短くすると共に、発光輝度を段階的に高くする遷移期間については、動領域に限らず、静止領域から動領域に（動領域から静止領域に）またがるように設置してもよい。この場合においても、発光時間を段階的に変化させる遷移期間では、フレーム内の発光時間的中心を一致又は略一致させる。
【００５２】
次に、第２実施例について説明する。図４は、動領域が連続するフレームに関して、発光波形と、１フレームの発光積分値とを説明するための第１の図である。具体的には、図４は、静止領域の後、３枚のフレームに動領域が存在する場合の、発光波形と、１フレームの発光積分値とを説明するための第１の図である。
【００５３】
時間ｔ１〜ｔ２の１フレーム期間は、静止領域のフレームＦ１を示す。時間ｔ２〜ｔ３の１フレーム期間は、動領域のフレームＦ２を示す。時間ｔ３〜ｔ４の１フレーム期間は、動領域のフレームＦ３を示す。時間ｔ４〜ｔ５の１フレーム期間は、動領域のフレームＦ４を示す。
【００５４】
画像表示制御部３０は、フレームＦ２については、フレームＦ３，Ｆ４（通常の動領域を有するフレーム）よりも、発光輝度を低くし、且つ、発光時間を長くしている。ここで、フレームＦ２においても、フレーム内の発光時間的中心を一致又は略一致させる。
すなわち、発光時間が１００％の静止領域から、発光時間が２５％の動領域に移行する場合、画像表示制御部３０は、フレームＦ２について発光時間を例えば５０％とし、フレームＦ３，Ｆ４について発光時間を２５％とする。この場合、フレームＦ１の輝度を１００とする値とすると、フレームＦ２の輝度は２００となる値となり、フレームＦ３，Ｆ４の輝度は４００となる値となる。
【００５５】
このような場合、１フレームの発光積分値は、時間ｔ１〜ｔ２の１００から、時間ｔ２〜ｔ３において、１００−２５＝７５に下降し、さらに、１００＋２５＝１２５に上昇した後、１００に戻る。また、１フレームの発光積分値は、時間ｔ３〜ｔ４において、１００−２５＝７５に下降し、さらに、１００＋２５＝１２５に上昇した後、１００に戻る。時間ｔ４〜ｔ５では、１フレームの発光積分値は、１００を維持する。
【００５６】
これにより、図３に示す場合に比べて１フレームの発光積分値の変化が小さくなるので、フリッカー状の変動がユーザにより知覚され難くなる。よって、画像表示装置１は、画質の劣化をより抑制することが可能になる。
【００５７】
次に、第３実施例について説明する。図５は、動領域が連続するフレームに関して、発光波形と、１フレームの発光積分値とを説明するための第２の図である。具体的には、図５は、静止領域の後、３枚のフレームに動領域が存在する場合の、発光波形と、１フレームの発光積分値とを説明するための第２の図である。
【００５８】
時間ｔ１〜ｔ２の１フレーム期間は、静止領域のフレームＦ１を示す。時間ｔ２〜ｔ３の１フレーム期間は、動領域のフレームＦ２を示す。時間ｔ３〜ｔ４の１フレーム期間は、動領域のフレームＦ３を示す。時間ｔ４〜ｔ５の１フレーム期間は、動領域のフレームＦ４を示す。
【００５９】
画像表示制御部３０は、フレームＦ２，Ｆ３については、フレームＦ４（通常の動領域を有するフレーム）よりも、発光輝度を低くし、且つ、発光時間を長くしている。ここで、フレームＦ２，Ｆ３においても、フレーム内の発光時間的中心を一致又は略一致させる。
すなわち、発光時間が１００％の静止領域から、発光時間が２５％の動領域に移行する場合、画像表示制御部３０は、フレームＦ２，Ｆ３について、発光時間を段階的に短くし、且つ、発光輝度を段階的に高くしている。例えば、フレームＦ２の発光時間を７５％とし、フレームＦ３の発光時間を５０％とし、フレームＦ４の発光時間を２５％とする。この場合、フレームＦ１の輝度を１００とすると、フレームＦ２の輝度は１３３となり、フレームＦ３の輝度は２００となり、フレームＦ４の輝度は４００となる。
【００６０】
このような場合、１フレームの発光積分値は、時間ｔ１〜ｔ２の１００から、時間ｔ２〜ｔ３において、１００−１２．５＝８７．５に下降し、さらに、１００＋１２．５＝１１２．５に上昇した後、１００に戻る。また、１フレームの発光積分値は、時間ｔ３〜ｔ４において、１００−１６．７＝８３．３に下降し、さらに、１００＋１６．７＝１１６．７に上昇した後、１００に戻る。また、１フレームの発光積分値は、時間ｔ４〜ｔ５において、１００−２５＝７５に下降し、さらに、１００＋２５＝１２５に上昇した後、１００に戻る。
【００６１】
これにより、図４に示す場合に比べて１フレームの発光積分値のピークが抑えられて、フリッカー状の変動がユーザにより知覚され難くなる。よって、画像表示装置１は、画質の劣化をより抑制することが可能になる。
【００６２】
なお、段階的に発光時間及び発光輝度を変化させるフレーム数は、図４，５に示すように１又は２に限定されることはなく、連続する動領域のフレーム数に応じて適時設定すればよい。
【００６３】
また、図４，５では、静領域から動領域に移行する場合に、段階的に発光時間及び発光輝度を変化させる例について説明した。しかし、本発明は、複数のフレームの所定の領域が、動領域から、連続した複数のフレームにわたって存在する静止領域に移行する場合、前記動領域と前記静止領域との間の複数のフレームの所定の領域について、発光時間を段階的に長くすると共に、発光輝度を段階的に低くしてもよい。
【００６４】
また、画像表示制御部３０は、複数のフレームの所定の領域が、静止領域から、連続した複数のフレームにわたって存在する動領域に移行する場合、動領域と静止領域との間の複数のフレームについて、１フレーム期間内において、所定の領域を複数回発光させるとともに、フレーム内の複数回発光の時間的重心と、静止領域のフレーム内の発光時間中心とを一致させることが好ましい。
また、画像表示制御部３０は、複数のフレームの所定の領域が、動領域から、連続した複数のフレームにわたって存在する静止領域に移行する場合、動領域と静止領域との間の複数のフレームについて、１フレーム期間内において、所定の領域を複数回発光させるとともに、フレーム内の複数回発光の時間的重心と、静止領域のフレーム内の発光時間中心とを一致させることが好ましい。
なお、前記の「一致」には、略一致させることが含まれる。
【００６５】
次に、上記の動領域を複数回発光させる場合の実施例（第４実施例）を説明する。図６は、動領域が連続するフレームに関して、発光波形と、１フレームの発光積分値とを説明するための第３の図である。具体的には、図６は、静止領域の後、３枚のフレームに動領域が存在する場合の、発光波形と、１フレームの発光積分値とを説明するための第３の図である。
【００６６】
時間ｔ１〜ｔ２の１フレーム期間は、静止領域のフレームＦ１を示す。時間ｔ２〜ｔ３の１フレーム期間は、動領域のフレームＦ２を示す。時間ｔ３〜ｔ４の１フレーム期間は、動領域のフレームＦ３を示す。時間ｔ４〜ｔ５の１フレーム期間は、動領域のフレームＦ４を示す。
【００６７】
動領域が連続する複数のフレームのうちの最初のフレームについては、画像表示制御部３０は、動領域を複数回発光させる。ここで、１フレーム内で複数回の発光を行う場合、フレーム内の複数回発光の時間的重心は、静止領域のフレーム内の発光時間的中心と一致又は略一致させる。図６に示す一例では、画像表示制御部３０は、フレームＦ２の動領域に関して、有機ＥＬ素子を３回発光させている。すなわち、画像表示制御部３０は、フレームＦ２の動領域に関して、発光を１フレーム期間内に分散させている。
【００６８】
より具体的には、発光時間が１００％のフレームＦ１（静止領域）の後に、発光時間が２５％のフレームＦ２〜Ｆ４（動領域）が続く場合には、画像表示制御部３０は、フレームＦ２の動領域に関して、合計の発光時間が２５％の発光を複数回行う。図６に示す一例では、１フレーム期間の中心部において発光時間が１２．５％の発光を行い、それの前後において発光時間が６．２５％の発光をそれぞれ行っている。
【００６９】
このような場合、１フレームの発光積分値は図６の下の図のようになる。すなわち、発光輝度が１００から０に変化する場合（静止領域から動領域に変化した後）では、１フレームの発光積分値は１００−２５＝７５に下降する。その後、複数回発光すると、１フレームの発光積分値は１００＋２５＝１２５に上昇する。その後、発光輝度が０になると（動領域の発光が終了すると）、１フレームの発光積分値は１００に下降する。
次に、動領域（フレームＦ３）が続くと、１フレームの発光積分値が、１００−２５＝７５に下降した後、１００＋２５＝１２５に上昇し、その後、１００に下降して維持する。
【００７０】
これにより、図３に例示する場合に比べて１フレームの発光積分値の変化が小さくなるので、フリッカー状の変動がユーザにより知覚され難くなる。よって、画像表示装置１は、画質の劣化をより抑制することが可能になる。
【００７１】
なお、フレームの動領域を複数回発光させる場合、発光の回数は、図６のように３回に限定されることはない。
例えば、図７に示す第５実施例のように、１フレームの中心時間における発光の発光時間を１２．５％とし、それの前後において細かな発光時間を分散させてもよい。この場合、複数回発光の平均輝度は、破線Ａで示すようになり、静止領域のフレーム内の発光時間的中心と、フレーム内の複数回発光の時間的重心とを一致又は略一致させる。
【００７２】
このような場合、１フレームの発光積分値は図７の下の図のようになる。すなわち、フレームＦ２では、１フレームの発光積分値は、１００−１８．７５＝８１．２５に下降した後、１００＋１８．７５＝１１８．７５に上昇し、その後、１００に下降する。フレームＦ３では、１フレームの発光積分値は、１００−１８．４＝８１．６に下降した後、１００＋１８．４＝１１８．４に上昇し、その後、１００に下降して維持する。
【００７３】
これにより、１フレームの発光積分値の変化が滑らかになるので、フリッカー状の変動がユーザにより知覚され難くなる。よって、画像表示装置１は、画質の劣化をより抑制することが可能になる。
【００７４】
また、例えば、図８に示す第６実施例のように、１フレームの合計の発光時間を２５％としつつ、１フレームの全体に細かな発光時間を分散させてもよい。この場合、複数回発光の平均輝度は、破線Ｂで示すようになり、静止領域のフレーム内の発光時間的中心と、フレーム内の複数回発光の時間的重心とを一致又は略一致させる。
【００７５】
このような場合、１フレームの発光積分値は図８の下の図のようになる。すなわち、フレームＦ２では、１フレームの発光積分値は、１００−１２．５＝８７．５に下降した後、１００＋１２．５＝１１２．５に上昇し、その後、１００に下降する。フレームＦ３では、１フレームの発光積分値は、１００−２８．１２５＝７１．８７５に下降した後、１００＋２８．１２５＝１２８．１２５に上昇し、その後、１００に下降して維持する。
【００７６】
これにより、１フレームの発光積分値の変化が滑らかになる、フリッカー状の変動がユーザにより知覚され難くなる。よって、画像表示装置１は、画質の劣化を抑制することが可能になる。
【００７７】
なお、１フレーム内で複数回の発光を行い場合、複数回の発光を行うフレーム数は、図６〜８に示すように１枚に限定されることはなく、連続する動領域のフレーム数に応じて適時複数枚を設定してもよい。
【００７８】
また、図６〜８では、静領域から動領域に移行する場合に、１フレーム内で複数回の発光を行う例について説明した。しかし、本発明は、複数のフレームの所定の領域が、動領域から連続した複数のフレームにわたって存在する静止領域に移行する場合にも、動領域と静止領域との間の複数のフレームの所定の領域について、１フレーム期間内で複数回の発光を行ってもよい。この場合においても、フレーム内の複数回発光の時間的重心と、前記静止領域のフレーム内の発光時間中心とは、一致又は略一致させる。
なお、動領域と静止領域との間の複数のフレームの所定の領域について、１フレーム期間内で複数回の発光を行う場合、複数回の発光は動領域に限らず、静止領域から動領域に（動領域から静止領域に）またがるように設置してもよい。この場合においても、フレーム内の複数回発光の時間的重心と、前記静止領域のフレーム内の発光時間中心とは、一致又は略一致させる。
【００７９】
以上説明したように、画像表示装置１は、動領域と静止領域のフレーム内の発光時間中心を一致又は略一致させて発光させる（実施例１）。動領域については、１フレームの発光積分値は、短い期間（１フレーム期間内）で下降及び上昇を行うので、輝度の変化が打ち消しあって、フリッカー状の変動としてユーザに知覚され難くすることができる。よって、画像表示装置１は、画質の劣化を抑制することができる。
【００８０】
また、画像表示装置１は、複数のフレームの所定の領域が、静止領域から、連続した複数のフレームにわたって存在する動領域に移行する場合、動領域と静止領域との間の複数のフレームの所定の領域について、発光時間を段階的に短くすると共に、発光輝度を段階的に高くする（実施例２，３）。ここで、発光時間を段階的に変化させる遷移期間では、フレーム内の発光時間的中心を一致又は略一致させる。
これにより、１フレーム期間内での１フレームの発光積分値の下降及び上昇が小さくなるので、フリッカー状の変動としてユーザにより知覚され難くすることができる。よって、画像表示装置１は、画質の劣化をより抑制することができる。
【００８１】
また、画像表示装置１は、複数のフレームの所定の領域が、動領域から、連続した複数のフレームにわたって存在する静止領域に移行する場合、前記動領域と前記静止領域との間の複数のフレームの所定の領域について、発光時間を段階的に長くすると共に、発光輝度を段階的に低くする。ここで、発光時間を段階的に変化させる遷移期間では、フレーム内の発光時間的中心を一致又は略一致させる。
これにより、１フレーム期間内での１フレームの発光積分値の下降及び上昇が小さくなるので、フリッカー状の変動としてユーザにより知覚され難くすることができる。よって、画像表示装置１は、画質の劣化をより抑制することができる。
【００８２】
また、画像表示装置１は、複数のフレームの所定の領域が、静止領域から、連続した複数のフレームにわたって存在する動領域に移行する場合、動領域と静止領域との間の複数のフレームについて、１フレーム期間内において、所定の領域を複数回発光させる。また、画像表示装置１は、複数のフレームの所定の領域が、動領域から、連続した複数のフレームにわたって存在する静止領域に移行する場合、動領域と静止領域との間の複数のフレームについて、１フレーム期間内において、所定の領域を複数回発光させる。この場合、画像表示装置１は、フレーム内の複数回発光の時間的重心を静止領域のフレーム内の発光時間中心に一致又は略一致させる（実施例４〜６）。これにより、１フレームの発光積分値の変化が滑らかになるので、フリッカー状の変動がユーザにより知覚され難くなる。よって、画像表示装置１は、画質の劣化をより抑制することができる。
【符号の説明】
【００８３】
１  画像表示装置
１０  画像表示モジュール
２１  同期分離部
２５２  分割部
２５１  抽出部
３０  画像表示制御部
【図１】
2017037124.tif 000003
【図２】
2017037124.tif 000004
【図３】
2017037124.tif 000005
【図４】
2017037124.tif 000006
【図５】
2017037124.tif 000007
【図６】
2017037124.tif 000008
【図７】
2017037124.tif 000009
【図８】
2017037124.tif 000010
【図９】
2017037124.tif 000011
【図１０】
2017037124.tif 000012
【図１１】
2017037124.tif 000013